(57)【要約】【課題】本発明は、フローティング用ケーブルコネクタに関し、従来のフローティングコネクタは、基板対基板のコネクタ同士の嵌合を対象にしていたが、基板対ケーブルコネクタとの嵌合においても、フローティングコネクタに対してスムーズな嵌合ができるフローティング用ケーブルコネクタとすることが課題であって、それを解決することである。【解決手段】プリント基板上に実装された基板側フローティングコネクタに雌雄の関係で嵌合・接続されるケーブル側のケーブルコネクタであって、 該ケーブルコネクタのコネクタハウジング１ｂにおける嵌合口側に、前記基板側フローティングコネクタ２におけるフローティング用コネクタハウジング２ａの可動領域内に対応する位置内で、当該フローティング用コネクタハウジング２ａに係合してその可動を抑制する抑制突起１ａを設けたフローティング用ケーブルコネクタ１とする。【選択図】図１
2014093179.tif 000002
【特許請求の範囲】
【請求項１】
プリント基板上に実装された基板側フローティングコネクタに雌雄の関係で嵌合・接続されるケーブル側のケーブルコネクタであって、 該ケーブルコネクタのコネクタハウジングにおける嵌合口側に、
前記基板側フローティングコネクタにおけるフローティング用コネクタハウジングの可動領域内に対応する位置内で、当該フローティング用コネクタハウジングに係合してその可動を抑制する抑制突起を設けたこと、
を特徴とするフローティング用ケーブルコネクタ。
【請求項２】
抑制突起は、基板側フローティングコネクタにおけるコネクタハウジングの外形状の外側を包むように、断面コ字型に形成されていること、
を特徴とする請求項１に記載のフローティング用ケーブルコネクタ。
【請求項３】
抑制突起の先端部は、嵌合をスムーズにガイドするように、テーパ状に形成されていること、
を特徴とする請求項１または２に記載のフローティング用ケーブルコネクタ。
【発明の詳細な説明】
【技術分野】
【０００１】
本発明は、フローティング用ケーブルコネクタに関するものである。
【背景技術】
【０００２】
従来、フローティングコネクタは、プリント基板側に固着される固定側絶縁体と、該固定側絶縁体に基部が固定されて並設されるとともに先端部が当該固定側絶縁体から突出している複数のコンタクトと、前記コンタクトの先端部が固定されていると共に相手側コネクタと嵌合する可動側絶縁体とで固定されている。そして、相手側コネクタをフローティングコネクタに装着する際に、前記可動側絶縁体が適宜に可動して前記相手側コネクタとの位置合わせが行われ、雌雄のコンタクト同士がスムーズに嵌合することが知られている。
【先行技術文献】
【特許文献】
【０００３】
【特許文献１】特開２００７−２６５７４２号公報
【発明の概要】
【発明が解決しようとする課題】
【０００４】
しかし、従来のフローティングコネクタにおいては、プリント基板に固着された雄コネクタと同じくプリント基板に実装された雌コネクタとの嵌合・接続であり、基板対基板の嵌合である。一方、ケーブルコネクタである場合には、ケーブル側が自由に動けることから、特にフローティング対策というものは講じられていなかった。ケーブル側のコネクタを基板側のコネクタに嵌合する際、基板側コネクタのフローティングの抑制ができないので、装着しづらいという課題がある。また、雌雄コネクタの嵌合・接続後に、プリント基板またはケーブルに外力が加わるとフローティングコネクタのフローティング用ハウジングがフローティングするのを抑制できず、コンタクトに負荷が掛かってしまうという課題がある。本発明に係るフローティング用ケーブルコネクタは、このような課題を解決するために提案されたものである。
【課題を解決するための手段】
【０００５】
本発明に係るフローティング用ケーブルコネクタの上記課題を解決して目的を達成するための要旨は、プリント基板上に実装された基板側フローティングコネクタに雌雄の関係で嵌合・接続されるケーブル側のケーブルコネクタであって、 該ケーブルコネクタのコネクタハウジングにおける嵌合口側に、前記基板側フローティングコネクタにおけるフローティング用コネクタハウジングの可動領域内に対応する位置内で、当該フローティング用コネクタハウジングに係合してその可動を抑制する抑制突起を設けたことである。
【０００６】
前記抑制突起は、基板側フローティングコネクタにおけるコネクタハウジングの外形状の外側を包むように、断面コ字型に形成されていることを含むものである。
【０００７】
また、前記抑制突起の先端部は、嵌合をスムーズにガイドするように、テーパ状に形成されていることを含むものである。
【発明の効果】
【０００８】
本発明のフローティング用ケーブルコネクタによれば、ケーブル側コネクタと基板側フローティングコネクタとが嵌合した後に、前記基板側のフローティング用コネクタハウジングのフローティングを抑制することができる。そして、雌雄コネクタの嵌合・接続後に、振動や衝撃がプリント基板またはケーブルに加わった場合でも、フローティング側のコンタクトへの負荷が低減される。更に、容易にロック状態が外れないコネクタ嵌合構造が提供される。また、基板側フローティングコネクタを、基板対基板、基板対ケーブルコネクタの嵌合に共通化できるので、コネクタの設備費および製造ラインの管理工数削減に貢献するものとなる、と言う数々の優れた効果を奏するものである。
【図面の簡単な説明】
【０００９】
【図１】本発明に係るフローティング用ケーブルコネクタ１の一部を断面にして示す正面図（Ａ），底面図（Ｂ），側面図（Ｃ），Ｘ−Ｘ線に沿った断面図（Ｄ）である。
【図２】同本発明のフローティング用ケーブルコネクタ１において、フラットケーブルを圧着する場合の押さえ板の圧入方法を示す説明図（Ａ）と、ケーブルコネクタ１にフラットケーブルを接続した状態の正面図（Ｂ）である。
【図３】基板側フローティングコネクタの平面図（Ａ），正面図（Ｂ），底面図（Ｃ），側面図（Ｄ），Ｘ−Ｘ線に沿った断面図（Ｅ）である。
【図４】基板側フローティングコネクタにおける、フローティング用コネクタハウジングの可動範囲を示す説明図である。
【図５】基板側雌コネクタの平面図（Ａ），正面図（Ｂ），側面図（Ｃ），Ｙ−Ｙ線に沿った断面図（Ｄ）である。
【図６】フローティング用ケーブルコネクタ１を基板側フローティングコネクタに嵌合させた状態の半正面図（Ａ），側面図（Ｂ），基板側雌コネクタと基板側フローティングコネクタとを嵌合させた状態の正面図（Ｃ），側面図（Ｄ）である。
【発明を実施するための形態】
【００１０】
本発明に係るフローティング用ケーブルコネクタ１は、図１に示すように、嵌合相手である基板実装フローティングコネクタ２（図３参照）のフローティング用コネクタハウジング２ａの移動を抑制する抑制突起１ａを設けてなるものである。
【実施例１】
【００１１】
プリント３基板（図６参照）上に実装された基板側フローティングコネクタ２に雌雄の関係で嵌合・接続されるケーブル側のケーブルコネクタ１であって、 該ケーブルコネクタ１のコネクタハウジング１ｂにおける嵌合口ａ側に、前記基板側フローティングコネクタ２のフローティング用コネクタハウジング２ａに係合して、当該フローティング用コネクタハウジング２ａの移動範囲を可動領域内に収まるように、可動を抑制する抑制突起１ａを設けたものである。
【００１２】
前記ケーブルコネクタ１は、図１（Ａ）〜（Ｄ）に示すように、フラットケーブル４（図２（Ｂ）参照）を圧設する圧設部１ｂと、この圧設部１ｂにおけるスペーサ１ｅに一端部側が並設されるコンタクト５と、前記フラットケーブル４をコンタクト５に圧設させる芯線間隔に合わせた突起を有する押さえ板１ｄと、基板側のフローティングコネクタ２に係合して固定させる係合ロック用の係合爪１ｆとから構成されている。
【００１３】
前記押さえ板１ｄによるフラットケーブル４の固着は、図２（Ａ）に示すように、コンタクト５の一端部側の二股状の先端部を突出させたコネクタハウジング１ｂと押さえ板１ｄとの間にフラットケーブル４の端部を差し込み、先記押さえ板１ｄを前後方向から圧着すると、図２（Ｂ）に示すように、前記コンタクト５の先端部に被覆が切断され中の芯線とコンタクト５とが電気的に接続される。
【００１４】
前記抑制突起１ａは、基板側フローティングコネクタ２におけるコネクタハウジング２ａの左右両端部２ｂにおける外形状の外側を包むように、下から見て断面コ字型に形成されている。
【００１５】
更に、前記抑制突起１ａの先端部１ｇは、嵌合をスムーズにガイドするように、テーパ部が設けられて形成されている。
【００１６】
一方、基板側フローティングコネクタ２は、図３（Ａ）〜（Ｅ）に示すように、基板側に固着されるハウジング本体２ｃと、該ハウジング本体２ｃに湾曲しているコンタクト６を介して、フローティング用コネクタハウジング２ａが可動自在に支持される、一例として基板側雄コネクタである。
【００１７】
前記コンタクト６の一端部６ａ側は、ハウジング本体２ｃの下面から露出してプリント基板３の実装面に半田付けされ固定される。コンタクト６の他方の他端部６ｂは、前記フローティング用コネクタハウジング２ａから平板状で上に突出した雄端子部２ｄの溝に圧入され、当該雄端子部２ｄの前後面において上下方向に沿って左右に並設されている。
【００１８】
前記コネクタハウジング２ａは、図３（Ｅ）に示すように、多数の湾曲したコンタクト６の他端部６ｂによって支持され、図４に示すように、水平なプリント基板３に基板側フローティングコネクタ２を実装した場合に、可動領域７の範囲内で前後左右に稼働することができる。
【００１９】
基板側フローティングコネクタ２の左右両端部には、図３（Ｂ），（Ｄ）に示すように、ロック金具８がハウジング本体２ｃに圧入されて固定されている。このロック金具８のロック用穴８ａに、フローティング用ケーブルコネクタ１の係合爪１ｆが係合するものである。前記ロック金具８は金属製なのでロック用穴８ａも削れたりすることが無く、ロック作用が甘くなることは無い。
【００２０】
また、金属製のホールドダウン９がハウジング本体２ｃにインサート成形され固定されている。このホールドダウン９がプリント基板３の実装面に半田付けされ固定されるものである。
【００２１】
図５（Ａ）〜（Ｄ）に示すものは、基板側雌コネクタ１０であり、コンタクト１０ａがハウジング１０ｂの中央部の開口部１０ｃに一端部が臨み、更に他端部がハウジング１０ｂの下に露出しプリント基板３に半田付けされ固定される。
【００２２】
前記ハウジング１０ｂの開口部１０ｃの左右方向の両端部には、嵌合部１０ｄが設けられている。基板側フローティングコネクタ２の端部２ｂの外形状に合わせて、嵌合部１０ｄは、前後反対には挿入できない形状になっている。また、フローティング用ケーブルコネクタ１の抑制突起１ａの内側にある嵌合部１ｈについても、前後反対には挿入できない形状になっている。
【００２３】
以上のように、本発明に係るフローティング用ケーブルコネクタ１を使用すれば、図６（Ａ），（Ｂ）に示すように、基板対ケーブルコネクタで接続させると、フローティング用ケーブルコネクタ１における抑制突起１ａがあるので、これと嵌合したフローティング用コネクタハウジング２ａのフローティングを抑制し、振動・衝撃が外部から加わった場合でもフローティング側のコンタクト６への負荷を軽減する。また、嵌合させる際にも、前記抑制突起１ａの先端部１ｇに、ガイド用のテーパ部があるので嵌合作用もスムーズに行われる。
【００２４】
更に、ロック金具８があるので、容易にロックが外れないコネクタを提供できる。そして、図６（Ｃ），（Ｄ）に示すように、通常の、基板対基板の接続となる、基板側雌コネクタ１０と基板側フローティングコネクタ２との接続も可能であり、基板側フローティングコネクタ２を共通化することができる。
【００２５】
こうして、基板側フローティングコネクタ２のフローティングに対応したフローティング用ケーブルコネクタ１となって、コネクタの設備費や製造ラインの管理工数削減となるものである。また、ロック金具８によって容易にロックが外れることが無い。
【産業上の利用可能性】
【００２６】
本発明に係るフローティング用ケーブルコネクタ１は、フローティングコネクタ全般に対応して適用することができる。
【符号の説明】
【００２７】
１          フローティング用ケーブルコネクタ、  １ａ      抑制突起、
１ｂ        コネクタハウジング、                １ｃ      圧設部、
１ｄ        押さえ板、                          １ｅ      スペーサ、
１ｆ        係合爪、                            １ｇ      先端部、
１ｈ        嵌合部、
２          基板側フローティングコネクタ、
２ａ        フローティング用コネクタハウジング、
２ｂ        端部、                              ２ｃ      ハウジング本体、
２ｄ        雄端子部、
３          プリント基板、
４          フラットケーブル、
５          コンタクト、
６          コンタクト、                        ６ａ        一端部、
６ｂ        他端部、
７          可動領域、
８          ロック金具、                        ８ａ        ロック用穴、
９          ホールドダウン、
１０        基板側雌コネクタ、                  １０ａ      コンタクト、
１０ｂ      ハウジング、                        １０ｃ      開口部、
１０ｄ      嵌合部。
【図１】
2014093179.tif 000003
【図２】
2014093179.tif 000004
【図３】
2014093179.tif 000005
【図４】
2014093179.tif 000006
【図５】
2014093179.tif 000007
【図６】
2014093179.tif 000008